【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
ネットワーク通信のための方法であって、
通信ネットワークの第１のネットワークデバイスからクライアントデバイスにおいて第１のメッセージを受信することと、
前記クライアントデバイスによって、前記第１のメッセージが、前記第１のネットワークデバイスが一時的なアクセスポイント構成で構成されることを示す予備のネットワーク識別子を含むと決定することと、
前記クライアントデバイスによって、前記第１のメッセージが前記予備のネットワーク識別子を含むと決定したことに応答して、予備的ではないネットワーク識別子が前記通信ネットワークの第２のネットワークデバイスから前記クライアントデバイスにおいて受信されるかどうかを決定することと、
前記予備的ではないネットワーク識別子が前記クライアントデバイスにおいて受信されなかったと決定したことに応答して、前記クライアントデバイスがカバレッジホールの中にあると決定することと
を備える、方法。
【請求項２】
前記予備的ではないネットワーク識別子が前記クライアントデバイスにおいて受信されると決定したことに応答して、前記クライアントデバイスと前記第２のネットワークデバイスとの間の通信リンクを確立することをさらに備える、請求項１に記載の方法。
【請求項３】
前記クライアントデバイスがカバレッジホールの中にあると決定した後に、前記予備のネットワーク識別子を使用して、前記クライアントデバイスと前記第１のネットワークデバイスとの間の第１の通信リンクを確立することと、
前記クライアントデバイスがカバレッジホールの中にあると示すために、および前記第１のネットワークデバイスに前記第１の一時的なアクセスポイント構成からアクセスポイント構成へ変化させるために、通知を前記クライアントデバイスから前記第１のネットワークデバイスに送信することと
を備える、請求項１に記載の方法。
【請求項４】
前記第１のネットワークデバイスが前記一時的なアクセスポイント構成から前記アクセスポイント構成に変化した後に、前記予備的ではないネットワーク識別子を受信することと、
前記予備的ではないネットワーク識別子を使用して、前記クライアントデバイスと前記第１のネットワークデバイスとの間の第２の通信リンクを確立することと
をさらに備える、請求項３に記載の方法。
【請求項５】
前記予備のネットワーク識別子は、予備のサービスセット識別子（ＳＳＩＤ）であり、前記予備的ではないネットワーク識別子は、予備的ではないＳＳＩＤである、請求項４に記載の方法。
【請求項６】
前記第１のネットワークデバイスは、前記一時的なアクセスポイント構成であるとき、前記クライアントデバイスに前記予備のネットワーク識別子を提供し、前記アクセスポイント構成であるとき、前記クライアントデバイスに前記予備的ではないネットワーク識別子を提供する、請求項３に記載の方法。
【請求項７】
前記クライアントデバイスがカバレッジホールの中にあると示すために、通知を前記クライアントデバイスから前記通信ネットワークの調整デバイスに送信することと、ここで、前記調整デバイスが、前記第１のネットワークデバイスに前記一時的なアクセスポイント構成からアクセスポイント構成へ変化させる、
前記第１のネットワークデバイスが前記アクセスポイント構成に変化することに応答して、前記第１のネットワークデバイスから前記予備的ではないネットワーク識別子を前記クライアントデバイスにおいて受信することと
をさらに備える、請求項１に記載の方法。
【請求項８】
前記予備的ではないネットワーク識別子を使用して、前記クライアントデバイスと前記第１のネットワークデバイスとの間の通信リンクを確立することをさらに備える、請求項７に記載の方法。
【請求項９】
前記通知は、カバレッジホール情報を含み、前記クライアントデバイスにおいて、前記クライアントデバイスの位置を含む前記カバレッジホール情報を決定することをさらに備える、請求項７に記載の方法。
【請求項１０】
前記クライアントデバイスの前記位置は、前記第１のネットワークデバイスのデバイス識別子に基づいて決定される、請求項９に記載の方法。
【請求項１１】
前記通知を前記調整デバイスに前記送信することは、帯域外通信プロトコルを介して、前記通知を前記クライアントデバイスから前記調整デバイスに送信することを備える、請求項７に記載の方法。
【請求項１２】
前記通信ネットワークは、ワイヤレスローカルエリアネットワーク（ＷＬＡＮ）であり、前記帯域外通信プロトコルを介して、前記通知を前記クライアントデバイスから前記調整デバイスに送信することは、前記通知を電力線通信（ＰＬＣ）ネットワークおよびセルラーネットワークから成るグループのうちの少なくとも１つのメンバを介して送信することを備える、請求項１１に記載の方法。
【請求項１３】
前記第１のネットワークデバイスは、前記予備のネットワーク識別子を送信するために、クライアントデバイス構成から前記一時的なアクセスポイント構成に一時的に変化し、前記予備のネットワーク識別子を送信した後に、前記一時的なアクセスポイント構成から前記クライアントデバイス構成に変化し戻すように構成される、請求項１に記載の方法。
【請求項１４】
前記クライアントデバイスがカバレッジホールの中にあることを示す通知を前記通信ネットワークの調整デバイスに送信するかどうかを示すユーザ入力を要求することをさらに備える、請求項１に記載の方法。
【請求項１５】
前記予備的ではないネットワーク識別子を含む第２のメッセージが前記第２のネットワークデバイスから前記クライアントデバイスにおいて受信されると決定することと、
前記クライアントデバイスにおいて、前記第２のメッセージと関連付けられる性能測定結果を決定することと、
前記第２のメッセージと関連付けられる前記性能測定結果に少なくとも部分的に基づいて、前記クライアントデバイスと前記第２のネットワークデバイスとの間の通信リンクを確立するかどうかを決定することと
をさらに備える、請求項１に記載の方法。
【請求項１６】
前記第１のネットワークデバイスが前記一時的なアクセスポイント構成で構成されることを示す前記予備のネットワーク識別子は、前記クライアントデバイスがカバレッジホールの中になければ、前記クライアントデバイスとの通信リンクを前記第１のネットワークデバイスが確立しないことをさらに示す、請求項１に記載の方法。
【請求項１７】
前記第１のメッセージは、ビーコンメッセージまたはプローブ応答メッセージである、請求項１に記載の方法。
【請求項１８】
第１のネットワークデバイスであって、
プロセッサと、
前記プロセッサと結合されるカバレッジホール検出ユニットとを備え、前記カバレッジホール検出ユニットが、
通信ネットワークの第２のネットワークデバイスから第１のメッセージを受信することと、
前記第１のメッセージが、前記第２のネットワークデバイスが一時的なアクセスポイント構成で構成されることを示す予備のネットワーク識別子を含むと決定することと、
前記第１のメッセージが前記予備のネットワーク識別子を含むと決定したことに応答して、予備的ではないネットワーク識別子が前記通信ネットワークの第３のネットワークデバイスから受信されるかどうかを決定することと、
前記予備的ではないネットワーク識別子が前記第１のネットワークデバイスにおいて受信されなかったと決定したことに応答して、前記第１のネットワークデバイスがカバレッジホールの中にあると決定することと
を行うように構成される、第１のネットワークデバイス。
【請求項１９】
前記カバレッジホール検出ユニットは、
前記第１のネットワークデバイスがカバレッジホールの中にあると示すために、通知を前記第１のネットワークデバイスから前記通信ネットワークの調整デバイスに送信することと、ここで、前記調整デバイスが、前記第２のネットワークデバイスに前記一時的なアクセスポイント構成からアクセスポイント構成へ変化させる、
前記第２のネットワークデバイスが前記アクセスポイント構成に変化することに応答して、前記第２のネットワークデバイスから前記予備的ではないネットワーク識別子を受信することと
を行うようにさらに構成される、請求項１８に記載の第１のネットワークデバイス。
【請求項２０】
前記カバレッジホール検出ユニットは、前記予備的ではないネットワーク識別子を使用して、前記第１のネットワークデバイスと前記第２のネットワークデバイスとの間の通信リンクを確立するようにさらに構成される、請求項１９に記載の第１のネットワークデバイス。
【請求項２１】
前記カバレッジホール検出ユニットは、前記予備的ではないネットワーク識別子が前記第１のネットワークデバイスにおいて受信されると決定することに応答して、前記第１のネットワークデバイスと前記第３のネットワークデバイスとの間の通信リンクを確立するようにさらに構成される、請求項１８に記載の第１のネットワークデバイス。
【請求項２２】
前記カバレッジホール検出ユニットは、
前記第１のネットワークデバイスがカバレッジホールの中にあると決定した後に、前記予備のネットワーク識別子を使用して、前記第１のネットワークデバイスと前記第２のネットワークデバイスとの間の第１の通信リンクを確立することと、
前記第１のネットワークデバイスがカバレッジホールの中にあると示すために、および前記第２のネットワークデバイスに前記一時的なアクセスポイント構成からアクセスポイント構成へ変化させるために、通知を前記第１のネットワークデバイスから前記第２のネットワークデバイスに送信することと
を行うようにさらに構成される、請求項１８に記載の第１のネットワークデバイス。
【請求項２３】
前記カバレッジホール検出ユニットは、
前記第２のネットワークデバイスが前記第１の一時的なアクセスポイント構成から前記アクセスポイント構成に変化した後に、前記予備的ではないネットワーク識別子を受信することと、
前記予備的ではないネットワーク識別子を使用して、前記第１のネットワークデバイスと前記第２のネットワークデバイスとの間の第２の通信リンクを確立することと
をさらに行うように構成される、請求項２２に記載の第１のネットワークデバイス。
【請求項２４】
前記第１のネットワークデバイスおよび前記第２のネットワークデバイスは、ワイヤレスローカルエリアネットワーク（ＷＬＡＮ）プロトコル、および電力線通信（ＰＬＣ）プロトコルとセルラー通信プロトコルから成るグループから選択された少なくとも１つのメンバを使用して通信するように構成されたハイブリッドネットワークデバイスである、請求項１８に記載の第１のネットワークデバイス。
【請求項２５】
機械実行可能命令を記憶した非一時的機械可読記憶媒体であって、前記機械実行可能命令が、
通信ネットワークの第１のネットワークデバイスからクライアントデバイスにおいて第１のメッセージを受信することと、
前記第１のメッセージが、前記第１のネットワークデバイスが一時的なアクセスポイント構成で構成されることを示す予備のネットワーク識別子を含むと決定することと、
前記第１のメッセージが前記予備のネットワーク識別子を含むと決定したことに応答して、予備的ではないネットワーク識別子が前記通信ネットワークの第２のネットワークデバイスから受信されるかどうかを決定することと、
前記予備的ではないネットワーク識別子が前記クライアントデバイスにおいて受信されなかったと決定したことに応答して、前記クライアントデバイスがカバレッジホールの中にあると決定することと
を行うための命令を備える、非一時的機械可読記憶媒体。
【請求項２６】
前記命令がさらに、
前記クライアントデバイスがカバレッジホールの中にあることを示すために、通知を前記クライアントデバイスから前記通信ネットワークの調整デバイスに送信することと、ここで、前記調整デバイスが、前記第１のネットワークデバイスに前記一時的なアクセスポイント構成からアクセスポイント構成へ変化させる、
前記第１のネットワークデバイスが前記アクセスポイント構成に変化することに応答して、前記第１のネットワークデバイスから前記予備的ではないネットワーク識別子を受信することと
を行うための命令を備える、請求項２５に記載の非一時的機械可読記憶媒体。
【請求項２７】
前記命令が、
前記予備的ではないネットワーク識別子を使用して、前記クライアントデバイスと前記第１のネットワークデバイスとの間の通信リンクを確立するための命令備える、請求項２６に記載の非一時的機械可読記憶媒体。
【請求項２８】
前記命令が、
前記予備のネットワーク識別子を使用して、前記クライアントデバイスと前記第１のネットワークデバイスとの間の第１の通信リンクを確立することと、
前記クライアントデバイスがカバレッジホールの中にあると示すために、および前記第１のネットワークデバイスに前記一時的なアクセスポイント構成からアクセスポイント構成へ変化させるために、通知を前記クライアントデバイスから前記第１のネットワークデバイスに送信することと
を行うための命令を備える、請求項２５に記載の非一時的機械可読記憶媒体。
【請求項２９】
前記命令が、
前記第１のネットワークデバイスが前記一時的なアクセスポイント構成から前記アクセスポイント構成に変化した後に、前記予備的ではないネットワーク識別子を受信することと、
前記予備的ではないネットワーク識別子を使用して、前記クライアントデバイスと前記第１のネットワークデバイスとの間の第２の通信リンクを確立することと
を行うための命令を備える、請求項２８に記載の非一時的機械可読記憶媒体。
【手続補正２】
【補正対象書類名】明細書
【補正対象項目名】０１３９
【補正方法】変更
【補正の内容】
【０１３９】
[00146]  本明細書で単一の事例として説明されるコンポーネント、動作または構造について、複数の事例が与えられ得る。最後に、様々なコンポーネント、動作、データ記憶装置の間の境界は、ある程度任意であり、具体的な動作は特定の例示的な構成の状況において示されている。機能の他の割振りが想定され、本発明の主題の範囲内にあり得る。一般に、例示的な構成において別個のコンポーネントとして提示された構造および機能は、結合された構造またはコンポーネントとして実装され得る。同様に、単一のコンポーネントとして提示された構造および機能は、別個のコンポーネントとして実装され得る。これらならびに他の変形、修正、追加、および改善が、本発明の主題の範囲内にあり得る。
以下に、本願の出願当初の特許請求の範囲に記載された発明を付記する。
［Ｃ１］
通信ネットワークの第１のアクセスポイントにおいて、前記第１のアクセスポイントとクライアントデバイスとの間の通信リンクを確立するための、前記クライアントデバイスからの第１の要求を受信することと、
前記第１のアクセスポイントと前記クライアントデバイスとの間の前記通信リンクを確立した後で、前記クライアントデバイスを前記第１のアクセスポイントから切断させることと、
前記第１のアクセスポイントと前記クライアントデバイスとの間の前記通信リンクを確立するための第２の要求が前記クライアントデバイスから前記第１のアクセスポイントにおいて受信されるかどうかを決定することと、
前記第２の要求が前記クライアントデバイスから受信されるかどうかに少なくとも一部基づいて、前記クライアントデバイスがカバレッジホールの中にあるかどうかと、前記第１のアクセスポイントと前記クライアントデバイスとの間の前記通信リンクを確立するかどうかとを決定することとを備える、方法。
［Ｃ２］
前記第２の要求が前記クライアントデバイスから受信されると決定したことに応答して、前記クライアントデバイスから切断した後に、
前記クライアントデバイスがカバレッジホールの中にあると決定することと、
前記第１のアクセスポイントと前記クライアントデバイスとの間の前記通信リンクを確立することとをさらに備える、Ｃ１に記載の方法。
［Ｃ３］
前記第２の要求が前記クライアントデバイスから受信されないと決定したことに応答して、前記クライアントデバイスから切断した後に、
前記クライアントデバイスがカバレッジホールの中にないと決定することをさらに備える、Ｃ１に記載の方法。
［Ｃ４］
前記クライアントデバイスがカバレッジホールの中にないと決定したことに応答して、
前記クライアントデバイスから前記第１のアクセスポイントにおいて受信されるメッセージを無視することをさらに備える、Ｃ１に記載の方法。
［Ｃ５］
前記クライアントデバイスがカバレッジホールの中にないと決定したことに応答して、
前記第１のアクセスポイントにおいて、前記第１のアクセスポイントが前記クライアントデバイスと通信するのを防ぐために、前記クライアントデバイスから受信されるメッセージをブロックすることをさらに備える、Ｃ１に記載の方法。
［Ｃ６］
前記第１のアクセスポイントにおいて、所定のブロック間隔が経過した後で、前記クライアントデバイスから受信される前記メッセージをブロックしないと決定すること、または、
前記第１のアクセスポイントにおいて、前記クライアントデバイスが前記クライアントデバイスと第２のアクセスポイントとの間の前記通信リンクを確立した後で、前記クライアントデバイスから受信される前記メッセージをブロックしないと決定することをさらに備える、Ｃ５に記載の方法。
［Ｃ７］
前記第１のアクセスポイントから、前記第１のアクセスポイントの第１の通信能力を含む告知メッセージを送信することをさらに備え、ここにおいて、前記第１のアクセスポイントの前記第１の通信能力が、前記通信ネットワークの第２のアクセスポイントの第２の通信能力と比較してより好ましくない、Ｃ１に記載の方法。
［Ｃ８］
前記告知メッセージが、ビーコンメッセージまたはプローブ応答メッセージである、Ｃ７に記載の方法。
［Ｃ９］
第１のアクセスポイントから、通信ネットワークの前記第１のアクセスポイントの識別子を含まないビーコンメッセージを送信することと、
前記第１のアクセスポイントとクライアントデバイスとの間の通信リンクを確立するための、前記クライアントデバイスからの第１の接続要求を受信することと、
前記第１のアクセスポイントにおいて、前記クライアントデバイスと前記通信ネットワークの第２のアクセスポイントとの間の通信リンクが確立され得るかどうかを決定することと、
前記第１のアクセスポイントにおいて、前記クライアントデバイスと前記第２のアクセスポイントとの間の通信リンクが確立され得るかどうかに少なくとも一部基づいて、前記クライアントデバイスから受信される第２の接続要求への応答を送信するかどうかを決定することとを備え、ここにおいて、前記第２の接続要求が前記第１の接続要求の後で前記クライアントデバイスによって送信される、方法。
［Ｃ１０］
前記クライアントデバイスと前記第２のアクセスポイントとの間の通信リンクが確立され得ないと決定したことに応答して、
前記クライアントデバイスが前記通信ネットワークのカバレッジホールの中にあると決定することと、
前記第１のアクセスポイントにおいて、前記第２の接続要求への前記応答を送信し、前記第１のアクセスポイントと前記クライアントデバイスとの間の通信リンクを確立することを決定することとをさらに備える、Ｃ９に記載の方法。
［Ｃ１１］
前記クライアントデバイスと前記第２のアクセスポイントとの間の通信リンクが確立され得るかどうかを前記決定すること、および、前記第２の接続要求への前記応答を送信するかどうかを前記決定することが、
前記第２のアクセスポイントが前記第２のアクセスポイントと前記クライアントデバイスとの間の前記通信リンクを確立できるかどうかを決定するために、前記第２のアクセスポイントに問い合わせることと、
前記第１のアクセスポイントにおいて、前記第２のアクセスポイントが前記第２のアクセスポイントと前記クライアントデバイスとの間の前記通信リンクを確立できないと決定したことに応答して、前記第２の接続要求への前記応答を送信すると決定することとを備える、Ｃ９に記載の方法。
［Ｃ１２］
前記クライアントデバイスと前記第２のアクセスポイントとの間の通信リンクが確立され得るかどうかを前記決定すること、および、前記第２の接続要求への前記応答を送信するかどうかを前記決定することが、
前記クライアントデバイスが前記クライアントデバイスと前記第２のアクセスポイントとの間の通信リンクを確立できるかどうかを決定するために、前記クライアントデバイスに問い合わせることと、
前記第１のアクセスポイントにおいて、前記クライアントデバイスが前記クライアントデバイスと前記第２のアクセスポイントとの間の前記通信リンクを確立できないと決定したことに応答して、前記第２の接続要求への前記応答を送信すると決定することとを備える、Ｃ９に記載の方法。
［Ｃ１３］
前記クライアントデバイスと前記第２のアクセスポイントとの間の通信リンクが確立され得ると決定したことに応答して、
前記クライアントデバイスが前記通信ネットワークのカバレッジホールの中にないと決定することと、
前記第１のアクセスポイントにおいて、前記第２の接続要求への前記応答を送信せず、前記第１のアクセスポイントと前記クライアントデバイスとの間の通信リンクを確立しないことを決定することとをさらに備える、Ｃ９に記載の方法。
［Ｃ１４］
前記クライアントデバイスと前記第２のアクセスポイントとの間の通信リンクが確立され得ると決定したことに応答して、
前記通信ネットワークの他のネットワークデバイスに前記クライアントデバイスのためのメッセージを中継することをさらに備える、Ｃ９に記載の方法。
［Ｃ１５］
前記第２の接続要求への前記応答を送信しないと決定したことに応答して、
前記クライアントデバイスから前記第１のアクセスポイントにおいて受信される前記第２の接続要求を無視することをさらに備える、Ｃ９に記載の方法。
［Ｃ１６］
前記第２の接続要求への前記応答を送信しないと決定したことに応答して、
前記第１のアクセスポイントにおいて、前記第１のアクセスポイントが前記クライアントデバイスと通信するのを防ぐために、前記クライアントデバイスから受信されるメッセージをブロックすることをさらに備える、Ｃ９に記載の方法。
［Ｃ１７］
前記第１のアクセスポイントにおいて、所定のブロック間隔が経過した後で、前記クライアントデバイスから受信される前記メッセージをブロックしないと決定すること、または、
前記第１のアクセスポイントにおいて、前記クライアントデバイスが前記クライアントデバイスと前記第２のアクセスポイントとの間の前記通信リンクを確立した後で、前記クライアントデバイスから受信される前記メッセージをブロックしないと決定することをさらに備える、Ｃ１６に記載の方法。
［Ｃ１８］
前記第２の接続要求への前記応答を送信するかどうかを前記決定することが、
所定の遅延時間間隔の間に、前記クライアントデバイスが前記第２のアクセスポイントの基本サービスセット（ＢＳＳ）内にあるかどうかを決定することと、
前記クライアントデバイスが前記第２のアクセスポイントの前記ＢＳＳ内にあると決定された場合、前記第２の接続要求への前記応答を送信しないことを決定し、前記第１のアクセスポイントと前記クライアントデバイスとの間の前記通信リンクを確立しないことを決定することと、
前記所定の遅延時間間隔が経過したことと、前記クライアントデバイスが前記第２のアクセスポイントの前記ＢＳＳ内にないこととが決定された場合、前記第２の接続要求への前記応答を送信し、前記第１のアクセスポイントと前記クライアントデバイスとの間の前記通信リンクを確立することを決定することとを備える、Ｃ９に記載の方法。
［Ｃ１９］
通信ネットワークの第１のアクセスポイントからクライアントデバイスにおいて第１のメッセージを受信することと、
前記受信された第１のメッセージが、前記第１のアクセスポイントが第１のアクセスポイント構成で構成されることを示す第１のネットワーク識別子を含むかどうかを決定することと、
前記第１のアクセスポイントから受信される前記第１のメッセージが前記第１のネットワーク識別子を含むと決定したことに応答して、第２のメッセージが前記通信ネットワークの第２のアクセスポイントから前記クライアントデバイスにおいて受信されるかどうかを決定することと、
前記第２のメッセージが前記第２のアクセスポイントから受信されなかったと決定したことに応答して、前記クライアントデバイスがカバレッジホールの中にあると決定することとを備える、方法。
［Ｃ２０］
前記第２のメッセージが前記第１のネットワーク識別子を備えず、前記第２のアクセスポイントが前記第１のアクセスポイント構成で構成されない、Ｃ１９に記載の方法。
［Ｃ２１］
前記クライアントデバイスがカバレッジホールの中にあると前記決定することが、
前記第１のネットワーク識別子を使用して、前記クライアントデバイスと前記第１のアクセスポイントとの間の通信リンクを確立することと、
前記第１のアクセスポイントに前記第１のアクセスポイント構成から第２のアクセスポイント構成へ切り替えさせるために、通知を前記クライアントデバイスから前記第１のアクセスポイントに送信することとを備える、Ｃ１９に記載の方法。
［Ｃ２２］
前記クライアントデバイスがカバレッジホールの中にあると前記決定することが、
前記クライアントデバイスから、前記クライアントデバイスがカバレッジホールの中にあることを示すために、通知を前記通信ネットワークの調整デバイスに送信することと、
前記通知を送信したことに応答して、前記クライアントデバイスにおいて前記第１のアクセスポイントの第２のネットワーク識別子を受信することとを備え、ここにおいて、前記調整デバイスが、前記第２のネットワーク識別子を前記第１のアクセスポイントに割り当て、前記第１のアクセスポイントに前記第１のアクセスポイント構成から第２のアクセスポイント構成へ切り替えさせる、Ｃ１９に記載の方法。
［Ｃ２３］
前記第１のアクセスポイントが前記第１のアクセスポイント構成から前記第２のアクセスポイント構成に切り替えた後で、
前記第２のネットワーク識別子を使用して、前記クライアントデバイスと前記第１のアクセスポイントとの間の通信リンクを確立することをさらに備える、Ｃ２２に記載の方法。
［Ｃ２４］
前記通知を前記調整デバイスに前記送信することが、
前記クライアントデバイスにおいて、前記クライアントデバイスがカバレッジホールの中にある間の前記クライアントデバイスの位置を含むカバレッジホール情報を決定することと、
前記カバレッジホール情報を前記通知において送信することとを備える、Ｃ２２に記載の方法。
［Ｃ２５］
前記クライアントデバイスの前記位置が、前記第１のアクセスポイントのデバイス識別子である、Ｃ２４に記載の方法。
［Ｃ２６］
前記通知を前記調整デバイスに前記送信することが、
帯域外通信プロトコルを介して、前記通知を前記クライアントデバイスから前記調整デバイスに送信することを備える、Ｃ２２に記載の方法。
［Ｃ２７］
前記第１のアクセスポイントから受信された前記第１のメッセージが前記第１のネットワーク識別子を含まないと決定したことに応答して、前記クライアントデバイスと前記第１のアクセスポイントとの間の通信リンクを確立することと、
前記第１のアクセスポイントから受信された前記第１のメッセージが前記第１のネットワーク識別子を含み、前記第２のアクセスポイントから受信された前記第２のメッセージが前記第１のネットワーク識別子を含まないと決定したことに応答して、前記クライアントデバイスと前記第２のアクセスポイントとともにの間の通信リンクを確立することとをさらに備える、Ｃ１９に記載の方法。
［Ｃ２８］
前記クライアントデバイスがカバレッジホールの中にあると前記決定することが、
前記クライアントデバイスがカバレッジホールの中にあることを示す通知を前記通信ネットワークの調整デバイスに送信するかどうかを示す、前記クライアントデバイスからのユーザ入力を要求することをさらに備える、Ｃ１９に記載の方法。
［Ｃ２９］
前記第１のネットワーク識別子を含まない前記第２のメッセージが前記第２のアクセスポイントから受信されると決定したことに応答して、
前記クライアントデバイスにおいて、前記第２のメッセージと関連付けられる性能測定結果が性能測定結果の閾値に従っているかどうかを決定することと、
前記第２のメッセージと関連付けられる前記性能測定結果が前記性能測定結果の閾値に従っていると決定したことに応答して、前記クライアントデバイスと前記第２のアクセスポイントとの間の通信リンクを確立するために、前記クライアントデバイスから前記第２のアクセスポイントに接続要求を送信することと、
前記第２のメッセージと関連付けられる前記性能測定結果が前記性能測定結果の閾値に従っていないと決定したことに応答して、前記クライアントデバイスがカバレッジホールの中にあると決定することとをさらに備える、Ｃ１９に記載の方法。
［Ｃ３０］
調整デバイスにおいて、通信ネットワークに参加することを試みるクライアントデバイスから第１のカバレッジホール通知を受信することと、ここにおいて、前記第１のカバレッジホール通知は、前記クライアントデバイスが前記通信ネットワーク中のアクセスポイントを検出できないことを示す、
前記クライアントデバイスから前記第１のカバレッジホール通知を受信したことに応答して、前記通信ネットワークの第１のネットワークデバイスに、前記第１のネットワークデバイスのアクセスポイントモジュールを有効にさせ、第１のアクセスポイント構成で動作させるために、前記調整デバイスから要求メッセージを送信することと、
前記調整デバイスにおいて、前記クライアントデバイスが前記クライアントデバイスと前記第１のネットワークデバイスとの間の通信リンクを確立できるという指示を受信することと、
前記第１のアクセスポイント構成から第２のアクセスポイント構成へ切り替えるように前記第１のネットワークデバイスに通知することとを備える、方法。
［Ｃ３１］
前記調整デバイスが、前記通信ネットワークの第１の通信ネットワークセグメントを介して、前記第１のカバレッジホール通知を前記クライアントデバイスから受信し、
前記調整デバイスが、前記通信ネットワークの第２の通信ネットワークセグメントを介して、前記要求メッセージを前記第１のネットワークデバイスに送信する、Ｃ３０に記載の方法。
［Ｃ３２］
前記調整デバイスが、セルラーネットワークを介して、前記第１のカバレッジホール通知を前記クライアントデバイスから受信し、
前記調整デバイスが、ワイヤレスローカルエリアネットワーク（ＷＬＡＮ）、電力線ネットワーク、またはイーサネット（登録商標）を介して、前記要求メッセージを前記第１のネットワークデバイスに送信する、Ｃ３０に記載の方法。
［Ｃ３３］
前記アクセスポイントモジュールが前記第１のアクセスポイント構成で動作することを前記第１のネットワークデバイスが可能にした後で、
第２のカバレッジホール通知が前記クライアントデバイスから前記調整デバイスにおいて受信されるかどうかを決定することと、
前記第２のカバレッジホール通知を受信したことに応答して、前記第１のネットワークデバイスに前記アクセスポイントモジュールを無効にさせるために、前記調整デバイスから前記第１のネットワークデバイスに非アクティブ化メッセージを送信することとをさらに備える、Ｃ３０に記載の方法。
［Ｃ３４］
前記第２のカバレッジホール通知が前記クライアントデバイスから受信されるかどうかを前記決定することが、前記調整デバイスにおいて、前記クライアントデバイスが所定の時間間隔内に前記第１のネットワークデバイスと関連付くかどうかを決定することを備え、
前記第２のカバレッジホール通知を前記クライアントデバイスから前記受信することが、前記調整デバイスにおいて、前記クライアントデバイスが前記所定の時間間隔内に前記第１のネットワークデバイスと関連付かないと決定することを備える、Ｃ３３に記載の方法。
［Ｃ３５］
前記クライアントデバイスが前記クライアントデバイスと前記第１のネットワークデバイスとの間の前記通信リンクを確立できるという前記指示を前記受信したことに応答して、
前記調整デバイスにおいて、前記通信ネットワークの第２のネットワークデバイスが前記第１のアクセスポイント構成で動作するように構成されると決定することと、
前記第２のネットワークデバイスに前記第２のネットワークデバイスのアクセスポイントモジュールを無効にさせるために、前記調整デバイスから前記第２のネットワークデバイスに非アクティブ化メッセージを送信することとをさらに備える、Ｃ３０に記載の方法。
［Ｃ３６］
前記第１のアクセスポイント構成から前記第２のアクセスポイント構成へ切り替えるように前記第１のネットワークデバイスに前記通知することが、
後続のメッセージにおける第１の識別子の使用を止め、前記後続のメッセージにおいて第２の識別子を使用するように、前記第１のネットワークデバイスに通知することを備え、前記第１の識別子が、前記第１のネットワークデバイスが前記第１のアクセスポイント構成で動作するように構成されることを示し、ここにおいて、前記第２の識別子が、前記第１のネットワークデバイスが前記第２のアクセスポイント構成で動作するように構成されることを示す、Ｃ３０に記載の方法。
［Ｃ３７］
第１のアクセスポイントであって、
プロセッサと、
前記プロセッサと結合されるカバレッジホール検出ユニットとを備え、前記カバレッジホール検出ユニットが、
前記第１のアクセスポイントとクライアントデバイスとの間の通信リンクを確立するための、前記クライアントデバイスからの第１の要求を受信し、
前記第１のアクセスポイントと前記クライアントデバイスとの間の前記通信リンクを確立した後で、前記クライアントデバイスを前記第１のアクセスポイントから切断させ、
前記第１のアクセスポイントと前記クライアントデバイスとの間の前記通信リンクを確立するための第２の要求が前記クライアントデバイスから受信されるかどうかを決定し、
前記第２の要求が前記クライアントデバイスから受信されるかどうかに少なくとも一部基づいて、前記クライアントデバイスがカバレッジホールの中にあるかどうかと、前記第１のアクセスポイントと前記クライアントデバイスとの間の前記通信リンクを確立するかどうかとを決定する
ように構成される、第１のアクセスポイント。
［Ｃ３８］
前記クライアントデバイスから切断した後で、および、前記第２の要求が前記クライアントデバイスから受信されると決定したことに応答して、前記カバレッジホール検出ユニットがさらに、
前記クライアントデバイスがカバレッジホールの中にあると決定し、
前記第１のアクセスポイントと前記クライアントデバイスとの間の前記通信リンクを確立するように構成される、Ｃ３７に記載の第１のアクセスポイント。
［Ｃ３９］
前記クライアントデバイスがカバレッジホールの中にないと決定したことに応答して、前記カバレッジホール検出ユニットがさらに、
前記第１のアクセスポイントが前記クライアントデバイスと通信するのを防ぐために、前記クライアントデバイスから受信されるメッセージをブロックするように構成される、Ｃ３７に記載の第１のアクセスポイント。
［Ｃ４０］
前記カバレッジホール検出ユニットがさらに、
通信ネットワーク前記第１のアクセスポイントの第１の通信能力を含む告知メッセージを送信するように構成され、ここにおいて、前記第１のアクセスポイントの前記第１の通信能力が、前記通信ネットワークの第２のアクセスポイントの第２の通信能力と比較してより好ましくない、Ｃ３７に記載の第１のアクセスポイント。
［Ｃ４１］
第１のアクセスポイントであって、
プロセッサと、
前記プロセッサと結合されるカバレッジホール検出ユニットとを備え、前記カバレッジホール検出ユニットが、
通信ネットワークの前記第１のアクセスポイントの識別子を含まないビーコンメッセージを送信し、
前記第１のアクセスポイントとクライアントデバイスとの間の通信リンクを確立するための、前記クライアントデバイスからの第１の接続要求を受信し、
前記クライアントデバイスと前記通信ネットワークの第２のアクセスポイントとの間の通信リンクが確立され得るかどうかを決定し、
前記クライアントデバイスと前記第２のアクセスポイントとの間の通信リンクが確立され得るかどうかに少なくとも一部基づいて、前記クライアントデバイスから受信される第２の接続要求への応答を送信するかどうかを決定する
ように構成され、ここにおいて、前記第２の接続要求が前記第１の接続要求の後で前記クライアントデバイスによって送信される、第１のアクセスポイント。
［Ｃ４２］
前記クライアントデバイスと前記第２のアクセスポイントとの間の通信リンクが確立され得るかどうかと、前記第２の接続要求への前記応答を送信するかどうかとを決定するように構成される前記カバレッジホール検出ユニットが、
前記第２のアクセスポイントが前記第２のアクセスポイントと前記クライアントデバイスとの間の前記通信リンクを確立できるかどうかを決定するために、前記第２のアクセスポイントに問い合わせ、
前記第２のアクセスポイントが前記第２のアクセスポイントと前記クライアントデバイスとの間の前記通信リンクを確立できないと決定したことに応答して、前記第２の接続要求への前記応答を送信すると決定するように構成される、前記カバレッジホール検出ユニットを備える、Ｃ４１に記載の第１のアクセスポイント。
［Ｃ４３］
前記クライアントデバイスと前記第２のアクセスポイントとの間の通信リンクが確立され得るかどうかと、前記第２の接続要求への前記応答を送信するかどうかとを決定するように構成される前記カバレッジホール検出ユニットが、
前記クライアントデバイスが前記クライアントデバイスと前記第２のアクセスポイントとの間の前記通信リンクを確立できるかどうかを決定するために、前記クライアントデバイスに問い合わせ、
前記クライアントデバイスが前記クライアントデバイスと前記第２のアクセスポイントとの間の前記通信リンクを確立できないと決定したことに応答して、前記第２の接続要求への前記応答を送信すると決定するように構成される、前記カバレッジホール検出ユニットを備える、Ｃ４１に記載の第１のアクセスポイント。
［Ｃ４４］
ネットワークデバイスであって、
プロセッサと、
前記プロセッサと結合されるカバレッジホール検出ユニットとを備え、前記カバレッジホール検出ユニットが、
通信ネットワークの第１のアクセスポイントから第１のメッセージを受信し、
前記受信された第１のメッセージが、前記第１のアクセスポイントが第１のアクセスポイント構成で構成されることを示す第１のネットワーク識別子を含むかどうかを決定し、
前記第１のアクセスポイントから受信される前記第１のメッセージが前記第１のネットワーク識別子を含むと決定したことに応答して、第２のメッセージが前記通信ネットワークの第２のアクセスポイントから受信されるかどうかを決定し、
前記第２のメッセージが前記第２のアクセスポイントから受信されなかったと決定したことに応答して、前記ネットワークデバイスがカバレッジホールの中にあると決定する
ように構成される、ネットワークデバイス。
［Ｃ４５］
前記ネットワークデバイスがカバレッジホールの中にあると決定するように構成される前記カバレッジホール検出ユニットが、
前記ネットワークデバイスがカバレッジホールの中にあることを示すために、通知を前記ネットワークデバイスから前記通信ネットワークの調整デバイスに送信し、
前記通知を送信したことに応答して、前記第１のアクセスポイントの第２のネットワーク識別子を受信するように構成され、ここにおいて、前記調整デバイスが、前記第２のネットワーク識別子を前記第１のアクセスポイントに割り当て、前記第１のアクセスポイントに前記第１のアクセスポイント構成から第２のアクセスポイント構成へ切り替えさせる、Ｃ４４に記載のネットワークデバイス。
［Ｃ４６］
前記第１のアクセスポイントが前記第１のアクセスポイント構成から前記第２のアクセスポイント構成に切り替えた後で、前記カバレッジホール検出ユニットがさらに、
前記第２のネットワーク識別子を使用して、前記ネットワークデバイスと前記第１のアクセスポイントとの間の通信リンクを確立するように構成される、Ｃ４５に記載のネットワークデバイス。
［Ｃ４７］
調整デバイスであって、
プロセッサと、
前記プロセッサと結合されるカバレッジホール検出ユニットとを備え、前記カバレッジホール検出ユニットが、
通信ネットワークに参加することを試みるクライアントデバイスからカバレッジホール通知を受信し、ここにおいて、前記カバレッジホール通知は、前記クライアントデバイスが前記通信ネットワーク中のアクセスポイントを検出できないことを示す、
前記クライアントデバイスから前記カバレッジホール通知を受信したことに応答して、前記通信ネットワークの第１のネットワークデバイスに、前記第１のネットワークデバイスのアクセスポイントモジュールを有効にさせ、第１のアクセスポイント構成で動作させるために、要求メッセージを送信し、
前記クライアントデバイスが前記クライアントデバイスと前記第１のネットワークデバイスとの間の通信リンクを確立できるという指示を受信し、
前記第１のアクセスポイント構成から第２のアクセスポイント構成へ切り替えるように前記第１のネットワークデバイスに通知する
ように構成される、調整デバイス。
［Ｃ４８］
前記アクセスポイントモジュールが前記第１のアクセスポイント構成で動作することを前記第１のネットワークデバイスが可能にした後で、前記カバレッジホール検出ユニットがさらに、
前記クライアントデバイスが所定の時間間隔内に前記第１のネットワークデバイスと関連付くかどうかを決定し、
前記クライアントデバイスが前記所定の時間間隔内に前記第１のネットワークデバイスと関連付かないと決定したことに応答して、前記第１のネットワークデバイスに前記アクセスポイントモジュールを無効にさせるために、前記調整デバイスから前記第１のネットワークデバイスに非アクティブ化メッセージを送信するように構成される、Ｃ４７に記載の調整デバイス。
［Ｃ４９］
機械実行可能命令を記憶した非一時的機械可読記憶媒体であって、前記機械実行可能命令が、
通信ネットワークの第１のアクセスポイントにおいて、前記第１のアクセスポイントとクライアントデバイスとの間の通信リンクを確立するための、前記クライアントデバイスからの第１の要求を受信し、
前記第１のアクセスポイントと前記クライアントデバイスとの間の前記通信リンクを確立した後で、前記クライアントデバイスを前記第１のアクセスポイントから切断させ、
前記第１のアクセスポイントと前記クライアントデバイスとの間の前記通信リンクを確立するための第２の要求が前記クライアントデバイスから受信されるかどうかを決定し、
前記第２の要求が前記クライアントデバイスから受信されるかどうかに少なくとも一部基づいて、前記クライアントデバイスがカバレッジホールの中にあるかどうかと、前記第１のアクセスポイントと前記クライアントデバイスとの間の前記通信リンクを確立するかどうかとを決定するための命令を備える、非一時的機械可読記憶媒体。
［Ｃ５０］
前記命令がさらに、
前記第２の要求が前記クライアントデバイスから受信されると決定したことに応答して、前記クライアントデバイスから切断した後に、
前記クライアントデバイスがカバレッジホールの中にあると決定し、
前記第１のアクセスポイントと前記クライアントデバイスとの間の前記通信リンクを確立するための命令を備える、Ｃ４９に記載の機械可読記憶媒体。
［Ｃ５１］
前記クライアントデバイスがカバレッジホールの中にないと決定したことに応答して、前記命令がさらに、
前記第１のアクセスポイントにおいて、前記第１のアクセスポイントが前記クライアントデバイスと通信するのを防ぐために、前記クライアントデバイスから受信されるメッセージをブロックするための命令をさらに備える、Ｃ４９に記載の機械可読記憶媒体。
［Ｃ５２］
前記命令がさらに、
前記第１のアクセスポイントから、前記第１のアクセスポイントの第１の通信能力を含む告知メッセージを送信するための命令をさらに備え、ここにおいて、前記第１のアクセスポイントの前記第１の通信能力が、前記通信ネットワークの第２のアクセスポイントの第２の通信能力と比較してより好ましくない、Ｃ４９に記載の機械可読記憶媒体。
［Ｃ５３］
機械実行可能命令を記憶した非一時的機械可読記憶媒体であって、前記機械実行可能命令が、
第１のアクセスポイントから、通信ネットワークの前記第１のアクセスポイントの識別子を含まないビーコンメッセージを送信し、
前記第１のアクセスポイントとクライアントデバイスとの間の通信リンクを確立するための、前記クライアントデバイスからの第１の接続要求を受信し、
前記第１のアクセスポイントにおいて、前記クライアントデバイスと前記通信ネットワークの第２のアクセスポイントとの間の通信リンクが確立され得るかどうかを決定し、
前記第１のアクセスポイントにおいて、前記クライアントデバイスと前記第２のアクセスポイントとの間の通信リンクが確立され得るかどうかに少なくとも一部基づいて、前記クライアントデバイスから受信される第２の接続要求への応答を送信するかどうかを決定することための命令を備え、ここにおいて、前記第２の接続要求が前記第１の接続要求の後で前記クライアントデバイスによって送信される、非一時的機械可読記憶媒体。
［Ｃ５４］
前記クライアントデバイスと前記第２のアクセスポイントとの間の通信リンクが確立され得るかどうかを決定するための前記命令、および、前記第２の接続要求への前記応答を送信するかどうかを決定するための前記命令がさらに、
前記第２のアクセスポイントが前記第２のアクセスポイントと前記クライアントデバイスとの間の前記通信リンクを確立できるかどうかを決定するために、前記第２のアクセスポイントに問い合わせ、
前記第１のアクセスポイントにおいて、前記第２のアクセスポイントが前記第２のアクセスポイントと前記クライアントデバイスとの間の前記通信リンクを確立できないと決定したことに応答して、前記第２の接続要求への前記応答を送信すると決定するための命令を備える、Ｃ５３に記載の機械可読記憶媒体。
［Ｃ５５］
前記クライアントデバイスと前記第２のアクセスポイントとの間の通信リンクが確立され得るかどうかを決定するための前記命令、および、前記第２の接続要求への前記応答を送信するかどうかを決定するための前記命令がさらに、
前記クライアントデバイスが前記クライアントデバイスと前記第２のアクセスポイントとの間の前記通信リンクを確立できるかどうかを決定するために、前記クライアントデバイスに問い合わせ、
前記第１のアクセスポイントにおいて、前記クライアントデバイスが前記クライアントデバイスと前記第２のアクセスポイントとの間の前記通信リンクを確立できないと決定したことに応答して、前記第２の接続要求への前記応答を送信すると決定するための命令を備える、Ｃ５３に記載の機械可読記憶媒体。
［Ｃ５６］
機械実行可能命令を記憶した非一時的機械可読記憶媒体であって、前記機械実行可能命令が、
通信ネットワークの第１のアクセスポイントからクライアントデバイスにおいて第１のメッセージを受信し、
前記受信された第１のメッセージが、前記第１のアクセスポイントが第１のアクセスポイント構成で構成されることを示す第１のネットワーク識別子を含むかどうかを決定し、
前記第１のアクセスポイントから受信される前記第１のメッセージが前記第１のネットワーク識別子を含むと決定したことに応答して、第２のメッセージが前記通信ネットワークの第２のアクセスポイントから受信されるかどうかを決定し、
前記第２のメッセージが前記第２のアクセスポイントから受信されなかったと決定したことに応答して、前記クライアントデバイスがカバレッジホールの中にあると決定するための命令を備える、非一時的機械可読記憶媒体。
［Ｃ５７］
前記クライアントデバイスがカバレッジホールの中にあると決定するための前記命令が、
前記クライアントデバイスがカバレッジホールの中にあることを示すために、通知を前記クライアントデバイスから前記通信ネットワークの調整デバイスに送信し、
前記通知を送信したことに応答して、前記クライアントデバイスにおいて前記第１のアクセスポイントの第２のネットワーク識別子を受信するための命令を備え、ここにおいて、前記調整デバイスが、第２のネットワーク識別子を前記第１のアクセスポイントに割り当て、前記第１のアクセスポイントに前記第１のアクセスポイント構成から第２のアクセスポイント構成へ切り替えさせる、Ｃ５６に記載の機械可読記憶媒体。
［Ｃ５８］
機械実行可能命令を記憶した非一時的機械可読記憶媒体であって、前記機械実行可能命令が、
調整デバイスにおいて、通信ネットワークに参加することを試みるクライアントデバイスからカバレッジホール通知を受信し、ここにおいて、前記カバレッジホール通知は、前記クライアントデバイスが前記通信ネットワーク中のアクセスポイントを検出できないことを示す、
前記クライアントデバイスから前記カバレッジホール通知を受信したことに応答して、前記通信ネットワークの第１のネットワークデバイスに、前記第１のネットワークデバイスのアクセスポイントモジュールを有効にさせ、第１のアクセスポイント構成で動作させるために、要求メッセージを送信し、
前記クライアントデバイスが前記クライアントデバイスと前記第１のネットワークデバイスとの間の通信リンクを確立できるという指示を受信し、
前記第１のアクセスポイント構成から第２のアクセスポイント構成へ切り替えるように前記第１のネットワークデバイスに通知するための命令を備える、非一時的機械可読記憶媒体。
［Ｃ５９］
前記アクセスポイントモジュールが前記第１のアクセスポイント構成で動作することを前記第１のネットワークデバイスが可能にした後で、前記命令がさらに、
前記調整デバイスにおいて、前記クライアントデバイスが所定の時間間隔内に前記第１のネットワークデバイスと関連付くかどうかを決定し、
前記クライアントデバイスが前記所定の時間間隔内に前記第１のネットワークデバイスと関連付かないと決定したことに応答して、前記第１のネットワークデバイスに前記アクセスポイントモジュールを無効にさせるために、前記調整デバイスから前記第１のネットワークデバイスに非アクティブ化メッセージを送信するための命令を備える、Ｃ５８に記載の機械可読記憶媒体。